(57)【要約】【課題】脱着が容易で且つ什器のユレや不慮の接触等により脱落することのないワイヤーネット什器用の商品陳列フックを提供すること。【解決手段】商品陳列フックの係止部である基体部が、平行部分の内径がワイヤーネットの横線の径よりやや大きい縦長扁平リング状に形成された帯状の平板であり、該扁平リングの背面側の下端近くで平板の一端に他端を任意の巾で重ね合わせた開口部を設け、扁平部分を圧縮することにより重ね合わせた部分に隙間を生じさせ、ワイヤーネットの近接する横線２本を挿通して係止される構成とした。【選択図】図１
2008253694.tif 000002
【特許請求の範囲】
【請求項１】
ワイヤーネットを用いた商品陳列什器に装着される商品陳列フックに於いて、ワイヤーネットに係止される基体部が、縦長の扁平リング状に形成された平板からなり、該平板扁平リングの下端近くで一端に他端を任意の巾で重ねて合わせて開閉式の開口部を設け、該開口部よりワイヤーネットの近接する横線２本を挿通して係止されることを特徴とする商品陳列フック
【請求項２】
基体部に突設された商品フックアームの先端に、脱着自在にプラスチック球を螺着したことを特徴とする請求項１の商品陳列フック
【発明の詳細な説明】
【技術分野】
【０００１】  本発明は商品ディスプレイ器具、特にワイヤーネットを用いた商品陳列什器の商品陳列フックに関するものである。
【背景技術】
【０００２】  ワイヤーネットを用いた商品陳列什器には、該ワイヤーネットの横線の任意の位置に係止する基体部の前面に、先端を若干上方に折り曲げた丸棒からなるフックアームをほぼ水平に突設して、商品包装の上部に穿設した丸孔に挿通し、商品を多種、多量に吊り下げて陳列するための商品陳列フックが広く採用されている。
【発明の開示】
【発明が解決しようとする課題】
【０００３】  従来の商品陳列フック７に於いて、ワイヤーメッシュへの係止部であると共にフックアーム４の支持部である基体部２としては、金属製の平板をプレス加工で片長の逆さＵ字状としたものか、又は線材を折り曲げ、スポット溶接等を施して同様に側面形状を片長の逆さＵ字状となしたもの等が使用されているが、いずれもワイヤーネットの横線６にＵ字部を引っ掛けると共に、長片の裏面を下段の横線６’に当接して装着するもので、任意の位置へ自在に取り付け、取り外しが極めて容易で便利である反面、什器を移動させる際のユレや、商品の取り外しの際に誤って触れることなどによりワイヤーネットから脱落することがあるという問題点を有している。
【課題を解決するための手段】
【０００４】  本発明に於いて商品陳列フック１の基体部２は、平行部分の内径がワイヤーネットの横線６の径よりやや大きい縦長の扁平リング状に形成された帯状の平板であり、該扁平リングの背面側の下端近くに該平板の一端に他端を任意の巾で重ね合わせた開口部３を設け、扁平部分を圧縮することにより重ね合わせ部分に隙間を生じさせ、ワイヤーネットの近接する横線６及び６’の挿通部とする構成とした。
【発明の効果】
【０００５】  本発明の商品陳列フック１は、前述のような基体部２を有しており、ワイヤーネットへの装着に当っては、ワイヤーネットの任意の横線６と一段下の横線６’との上下２本の横線を順次挿通部から扁平リング内へ取り込む方式により、容易に脱着可能でしかも安定的に装着され、陳列什器の移動の際のユレその他、誤って加わる力によってワイヤーネットから脱落することがない。また、フックアーム４の先端に、脱着自在に螺着するプラスチック球５を併用すれば商品を陳列したままの状態で陳列什器を運送することが可能となる。
【発明を実施するための最良の形態】
【０００６】  ワイヤーネットへの係止部分である基体部２が、帯状の平板を任意の位置で曲げて片長Ｕ字型を形成し、さらに長手先端近くでＵ字型に曲げ返し、両端を任意の巾で重ね合わせて閉じた開口部３とした縦長の扁平リングであり、該開口部３を背面とする扁平リングの前面に、先端を若干上方に折り曲げた丸棒からなるフックアーム４をほぼ水平に突設する。また本実施例ではフックアーム４の先端部にプラスチック球５を脱着自在に螺着した商品陳列フック１を最良の形態とするも、基体部に支持、突設されるフックアーム４についてはその形状を問わない。
【実施例】
【０００７】  以下、本発明の実施例の構成と従来の技術の構成、及び本実施例の脱着方法を図面に基づいて説明する。図１は本実施例の商品陳列フック１の全体を示す斜め前方から見た斜視図及び斜め後方から見た斜視図である。【０００８】  ワイヤーネットへの係止部分である基体部２は、帯状の平板を任意の位置で曲げて片長Ｕ字型を形成し、さらに長手先端近くでＵ字型に曲げ返し、両端を任意の巾で重ね合わせて閉じた開口部３とした縦長の扁平リングであり、該開口部はリングの扁平部分を圧縮すると内側に開く。また、扁平リングの前面に先端を若干上方に折り曲げた丸棒からなるフックアーム４をほぼ水平に突設し、さらに本実施例では商品の滑落防止のため、フックアーム４の先端部にプラスチック球５を脱着自在に螺着した。【０００９】  フックアーム４には透明プラスチック製のプライスカードホルダーを取り付けるための支線を有するものや吊り下げ包装を用いない商品のための様々な個別用途のもの、例えばシューズ用、ボール用、帽子用等があるが、ここではフックアーム４の形状は問わない。【００１０】  図２は従来の商品陳列フック７をワイヤーネットに装着した状態を示す斜視図である。金属製の平板をプレス加工で片長の逆さＵ字状としたものか、線材を折り曲げ、スポット溶接等を施して同様に側面形状を片長の逆さＵ字状となしたものを基体部２とし、いずれもワイヤーネットの横線６にＵ字部を引っ掛けると共に、長片の裏面を一段下の横線６’に当接して係止するもので、商品の荷重には耐えるが什器を移動させる際のユレや、商品の取り外しの際に誤って触れることなどにより、下方からの力が加わるとワイヤーネットから脱落し易い。【００１１】  図３は本発明の商品陳列フック１をワイヤーネットに装着する手順を示す基体部２周りの側断面図である。まず、扁平リング状の基体部２の扁平部分を圧縮し開口部３を開いてワイヤーネットの任意の横線６を基体部２内に取り込み、基体部２を下方にスライドさせた後、同様に一段下の横線６’を取り込む。開口部３は扁平部分への圧縮を終えると平板自体の弾性で閉じ、また、商品陳列フック１の自重で扁平リング状の基体部２内面上辺がワイヤーネットの横線６に当接して係止され装着は完了する。脱着は各々逆の手順となる。
【産業上の利用可能性】
【００１２】
【００１３】  本発明の商品陳列フックは、ワイヤーネットから脱落し易かった従来の商品陳列フックと違い、装着後には取り外そうとする意志を持たない誤った力が加わっても外れることがなく、しかも工具を用いず短時間のうちに極めて容易に脱着ができ、また単純な構造のためコストに負担を掛けることもない。さらに、前述のプラスチック球等を併用することにより、ワイヤーネット什器に商品をディスプレイしたままでの配送が可能となるため、従来の商品流通過程の単純化、ローコスト化、人件費の削減にも繋がり、流通業界での利用の可能性は極めて高い。
【図面の簡単な説明】
【００１４】
【図１】  本実施例の全体を示す斜め前方及び後方からの斜視図である。
【図２】  従来の技術の全体を示す斜視図である。
【図３】  本実施例の装着手順を示す側断面図である。
【符号の説明】
【００１５】  １    商品陳列フック
２    基体部
３    開口部
４    フックアーム
５    プラスチック球
６    ワイヤーネットの横線
６’  一段下の横線
７    従来の商品陳列フック
【図１】
2008253694.tif 000003
【図２】
2008253694.tif 000004
【図３】
2008253694.tif 000005